【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
異状を検知した場合に警報すると共に人感センサを備えた警報器を設けた警報システムと、
前記警報システムに全部又は一部で重複し、機器の状態を検知した場合にネットワークアダプタを経由してサーバに送信して処理させる機器管理システムと、
を設け、
前記警報器で異状を検知した場合に前記ネットワークアダプタを経由して前記サーバに送信して処理させ、当該処理結果を利用者端末に送信して異状警報を出力させると共に、前記警報器に設けた人感センサで人を検知した場合に前記ネットワークアダプタを経由して前記サーバに送信して処理させ、当該処理結果を前記利用者端末に伝送して在宅情報を出力させることを特徴とする警報連携システム。
【請求項２】
所定領域に設置された複数の警報器のいずれかで異状を検知した場合に、連動元を示す異状警報を出力すると共に他の警報器に所定の第１通信プロトコルに従って異状連動信号を送信し、一方、他の警報器からの異状連動信号受信を検知した場合に、連動先を示す異状警報を出力させ、更に前記警報器の各々に人感センサを設けた警報システムと、
前記所定領域に設置された機器の状態を検知して、検知結果を所定の第２通信プロトコルに従ってネットワークアダプタに送信し、当該ネットワークアダプタはこれをインターネット通信プロトコルに変換してサーバに送信し、当該サーバの機器管理部でこれを処理し、前記サーバの処理結果を利用者端末に伝送して閲覧可能とする機器管理システムと、
前記警報器の少なくとも１台に設けられ、前記異状を検知した場合また他の警報器から異状連動信号受信を検知した場合、前記第２通信プロトコルに従った異状連携連動信号を、前記ネットワークアダプタを経由して前記サーバに送信させる連携処理部と、
前記サーバに設けられ、前記警報器から前記ネットワークアダプタを経由して送信された異状連携連動信号受信を検知した場合に、当該異状連携連動信号を処理して処理結果を利用者端末に伝送して異状警報を出力させる警報器管理部と、
前記サーバに設けられ、前記利用者端末から送信された在宅確認要求信号を検知した場合、前記ネットワークアダプタを経由して前記警報器に設けた人感センサの検知信号を取得して在宅情報を生成し、生成した在宅情報を前記利用者端末に表示させる在宅管理部と、
を備えたことを特徴とする警報連携システム。
【請求項３】
請求項２記載の警報連携システムに於いて、
前記警報システムに、非常スイッチを操作した場合に前記警報器に前記第１通信プロトコルに従った非常通報信号を送信し、一方、前記警報器からの異状連動信号受信を検知した場合に異状警報を出力する発信機を設け、
前記発信機は、前記非常スイッチを操作した場合に前記第２通信プロトコルに従った非常通報連携連動信号を、前記ネットワークアダプタを経由して前記サーバに送信させる連携処理部を備え、
前記サーバの警報器管理部は、前記ネットワークアダプタを経由して前記発信機から送信された非常通報連携連動信号受信を検知した場合に、当該非常通報連携連動信号を処理して処理結果を利用者端末に伝送して非常通報警報を出力させ、
前記サーバの在宅管理部は、前記利用者端末から非常通報警報を出力させる場合に、在宅確認要求の操作部位を表示して在宅確認要求操作を可能とする、
ことを特徴とする警報連携システム。
【請求項４】
請求項２記載の警報連携システムに於いて、前記警報器の連携処理部は、警報器自身の異状復旧、警報停止又は障害を検知した場合若しくは他の警報器から異状復旧、警報停止又は障害の連動信号受信を検知した場合、前記第２通信プロトコルに従った異状復旧、警報停止又は障害の連携連動信号を、前記ネットワークアダプタを経由して前記サーバの警報器管理部に送信して処理させ、当該処理結果を利用者端末に送信して反映させることを特徴とする警報連携システム。
【請求項５】
前記所定領域に設置された機器の状態を検知して、検知結果を所定の第２通信プロトコルに従ってネットワークアダプタに送信し、前記ネットワークアダプタはこれをインターネット通信プロトコルに変換してサーバに送信し、当該サーバでこれを処理し、前記サーバの処理結果を利用者端末に伝送して閲覧可能とする機器管理システムに設けた警報器に於いて、
異状を検知した場合に、連動元を示す異状警報を出力すると共に他の警報器に所定の第１通信プロトコルに従って異状連動信号を送信し、一方、他の警報器からの異状連動信号受信を検知した場合に、連動先を示す異状警報を出力させ警報制御部と、
前記異状を検知した場合また他の警報器から異状連動信号受信を検知した場合、前記第２通信プロトコルに従った異状連携連動信号を、前記ネットワークアダプタを経由して前記サーバの警報器管理部に送信して処理させ、当該処理結果を利用者端末に伝送して異状警報を出力させる連携処理部と、
前記所定領域における人の有無を検知する人感センサと、
前記サーバ及びネットワークアダプタを経由して前記利用者端末からの在宅確認要求を検知した場合、人感センサの検知信号を、前記ネットワークアダプタを経由して前記サーバに送って在宅情報を生成させ、生成された在宅情報を前記利用者端末に表示させる人感センサ処理部と、
を備えたことを特徴とする警報器。
【請求項６】
前記所定領域に設置された機器の状態を検知して、検知結果を所定の第２通信プロトコルに従ってネットワークアダプタに送信し、前記ネットワークアダプタはこれをインターネット通信プロトコルに変換してサーバに送信し、当該サーバでこれを処理し、前記サーバの処理結果を利用者端末に伝送して閲覧可能とする機器管理システムと、
所定領域に設置された複数の警報器のいずれかで異状を検知した場合に、連動元を示す異状警報を出力すると共に他の警報器に所定の第１通信プロトコルに従って異状連動信号を送信し、一方、他の警報器からの異状連動信号受信を検知した場合に、連動先を示す異状警報を出力させ、更に前記警報器の各々に人感センサを設けた警報システムと、
を連携させる連携システムに設けた発信機に於いて、
非常スイッチを操作した場合に前記警報器に前記第１通信プロトコルに従った非常通報信号を送信し、一方、前記警報器からの異状連動信号受信を検知した場合に異状警報を出力する発信制御部と、
前記非常スイッチを操作した場合に前記第２通信プロトコルに従った非常通報連携連動信号を、前記ネットワークアダプタを経由して前記サーバの警報器管理部に送信して処理させ、処理結果を利用者端末に伝送して非常通報警報を出力させる連携処理部を備えたことを特徴とする発信機。
【手続補正２】
【補正対象書類名】明細書
【補正対象項目名】００１４
【補正方法】変更
【補正の内容】
【００１４】
（警報連携システム）
本発明は、警報連携システムに於いて、
異状を検知した場合に警報すると共に人感センサを備えた警報器を設けた警報システムと、
警報システムに全部又は一部で重複し、機器の状態を検知した場合にネットワークアダプタを経由してサーバに送信して処理させる機器管理システムと、
を設け、
警報器で異状を検知した場合にネットワークアダプタを経由してサーバに送信して処理させ、当該処理結果を利用者端末に送信して異状警報を出力させると共に、警報器に設けた人感センサで人を検知した場合にネットワークアダプタを経由して前記サーバに送信して処理させ、当該処理結果を前記利用者端末に伝送して在宅情報を出力させることを特徴とする。
【手続補正３】
【補正対象書類名】明細書
【補正対象項目名】００２４
【補正方法】変更
【補正の内容】
【００２４】
（システム連携方法）
本発明は、
異状を検知した場合に警報すると共に人感センサを備えた警報器を設けた警報システムと、
警報システムに全部又は一部で重複し、機器の状態を検知した場合にネットワークアダプタを経由してサーバに送信して処理させる機器管理システムと、
を連携させるシステム連携方法に於いて、
警報器で異状を検知した場合にネットワークアダプタを経由してサーバに送信して処理させ、当該処理結果を利用者端末に送信して異状警報を出力させると共に、警報器に設けた人感センサで人を検知した場合にネットワークアダプタを経由してサーバに送信して処理させ、当該処理結果を前記利用者端末に伝送して在宅情報を出力させることを特徴とする。